(57)【特許請求の範囲】
【請求項１】
光ディスクに光を集光する対物レンズと、この対物レンズを取り付けたレンズホルダと、このレンズホルダに巻き付けられたフォーカシングコイルと、前記レンズホルダを支持する支持部材とを有する光ピックアップにおいて、
前記レンズホルダの下部に、前記光ディスクの半径方向における一方の側と他方の側に突出部を備え、
前記フォーカシングコイルは、第一のフォーカシングコイルと第二のフォーカシングコイルから成り、
前記第一のフォーカシングコイルは、前記レンズホルダの側面全周に巻き付けられた第一のフォーカシングコイルの上側部と、前記レンズホルダの一方の側の突出部に巻き付けられた第一のフォーカシングコイルの下側部とを接続して構成され、
前記第二のフォーカシングコイルは、前記レンズホルダの側面全周に巻き付けられた第二のフォーカシングコイルの上側部と、前記レンズホルダの他方の側の突出部に巻き付けられた第二のフォーカシングコイルの下側部とを接続して構成されていることを特徴とする光ピックアップ。
【請求項２】
請求項１記載の光ピックアップにおいて、
前記第一のフォーカシングコイルの下側部と前記第二のフォーカシングコイルの下側部はフォーカシング動作とチルト動作を兼ね備えていることを特徴とする光ピックアップ。
【請求項３】
請求項１記載の光ピックアップにおいて、
前記突出部は、前記レンズホルダから光軸方向の下方に突出していることを特徴とする光ピックアップ。
【請求項４】
請求項１記載の光ピックアップにおいて、
前記第一のフォーカシングコイルの上側部と前記第二のフォーカシングコイルの上側部は、前記レンズホルダの側面全周に重ねられて巻かれていることを特徴とする光ピックアップ。
【請求項５】
請求項３記載の光ピックアップにおいて、
前記突出部は２個設けられ、この２個の突出部の間に空間部を設けたことを特徴とする光ピックアップ。
【発明の詳細な説明】
【技術分野】
【０００１】
本発明は、光ディスクの記録面上に記録された情報を読み出す、または光ディスクに情報を記録する光ディスク装置が備える光ピックアップに関する。
【背景技術】
【０００２】
本技術分野の背景技術として、特開２００６−３０９８８９号公報（特許文献１）がある。  
この特許文献１には、レンズホルダの側面全周にわたってフォーカシングコイルが巻回され、レンズホルダ孔の内側にチルトコイルが設けられる構成が記載されている（段落００４２、００４３、図４、図５参照）。
【先行技術文献】
【特許文献】
【０００３】
【特許文献１】特開２００６−３０９８８９号公報
【発明の概要】
【発明が解決しようとする課題】
【０００４】
上記特許文献１では、チルトコイルをレンズホルダに設けた孔の内側に配置する構成となっているため、チルトコイルをレンズホルダに直接巻き付けることができない。したがって、別工程で作製したチルトコイルをレンズホルダに取り付ける作業が必要である。
【０００５】
また、上記特許文献１では、レンズホルダを支持する支持部材が、対物レンズの光軸方向において、フォーカシングコイルと同じ高さ位置に固定されている。したがって、フォーカシングコイルをレンズホルダに直接巻き付ける場合には、支持部材の固定部材を別部材としておくことが必要である。
【０００６】
また、上記特許文献１では、フォーカシングコイルとチルトコイルをそれぞれ備えるため、レンズホルダの限られた寸法の中で、フォーカシングコイルの巻数を増やすことは困難である。高速に回転する光ディスクに追従するためには、特にフォーカシングコイルの駆動力が必要である。しかし、上記特許文献１では、フォーカシングコイルで発生する駆動力を大きくするという点に関して十分には配慮されていない。
【０００７】
本発明の目的は、組立作業性に優れ、フォーカシングコイルで発生する駆動力を増大できる光ピックアップを提供することにある。
【課題を解決するための手段】
【０００８】
上記目的を達成するために本発明は、光ディスクに光を集光する対物レンズと、この対物レンズを取り付けたレンズホルダと、このレンズホルダに巻き付けられたフォーカシングコイルと、前記レンズホルダを支持する支持部材とを有する光ピックアップにおいて、前記対物レンズの光軸と平行な方向を中心軸として巻かれる第一のフォーカシングコイルの上側部と、この第一のフォーカシングコイルの上側部に接続線を介して接続された第一のフォーカシングコイルの下側部と、前記第一のフォーカシングコイルとは別系統の配線で、前記対物レンズの光軸と平行な方向を中心軸として巻かれる第二のフォーカシングコイルの上側部と、この第二のフォーカシングコイルの上側部に接続線を介して接続された第二のフォーカシングコイルの下側部とが前記レンズホルダに巻かれるようにしたものである。
【０００９】
また上記目的を達成するために本発明は好ましくは、前記第一のフォーカシングコイルの下側部と前記第二のフォーカシングコイルの下側部はフォーカシング動作とチルト動作を兼ね備えるようにしたものである。
【００１０】
また上記目的を達成するために本発明は好ましくは、前記第一のフォーカシングコイルの下側部と前記第二のフォーカシングコイルの下側部は前記レンズホルダから光軸方向の下方に突出した突出部に巻かれるようにしたものである。
【００１１】
また上記目的を達成するために本発明は好ましくは、前記第一のフォーカシングコイルの上側部と前記第二のフォーカシングコイルの上側部は重ねられて前記レンズホルダに巻かれるようにしたものである。
【００１２】
また上記目的を達成するために本発明は好ましくは、前記レンズホルダから光軸方向の下方に突出した突出部が２個設けられ、この２個の突出部の間に空間部を設けたものである。
【発明の効果】
【００１３】
本発明によれば、組立作業性に優れ、フォーカシングコイルで発生する駆動力を増大できる光ピックアップを提供できる。
【図面の簡単な説明】
【００１４】
【図１】本発明の実施例１に係る光ピックアップの分解斜視図である。
【図２】本発明の実施例１に係るレンズホルダへのコイル巻き付け過程を示す図である。
【図３】従来と本実施例のフォーカシング（チルト）コイルを比較した表である。
【図４】本発明の実施例１に係るレンズホルダの斜視図である。
【図５】本発明に実施例１に係る光ピックアップの斜視図である。
【図６】本発明の実施例２に係るレンズホルダの斜視図である。
【図７】本発明の実施例３に係るレンズホルダの斜視図である。
【発明を実施するための形態】
【００１５】
以下、本発明の実施例を図面を用いて説明する。
【実施例１】
【００１６】
図１は本実施例の光ピックアップの対物レンズ駆動手段５０を示す分解斜視図である。
【００１７】
なお、図中、ｚ方向は対物レンズ１の光軸方向であり、対物レンズ１を、図示していない光ディスクに接近または離遠させるフォーカシング方向である。
【００１８】
ｚ方向において、光ディスクに近い側を上、光ディスクから遠い側を下とする。ｙ方向は光ディスクの半径方向であり、対物レンズ１を光ディスクのトラックに対して位置決めするトラッキング方向である。ｘ方向はｙ方向とｚ方向の双方に直交する方向であり、光ディスクの接線方向である。ｘ軸周りの回転方向が光ディスクの半径方向への傾きを示すチルト方向である。
【００１９】
図１において、対物レンズ１はレンズホルダ２の上面に搭載される。レンズホルダ２は、その下部に、光ディスクの半径方向であるトラッキング方向の一方の側と他方の側に突出部８ａ、８ｂを有する。また、レンズホルダ２は、トラッキング方向の一方の側と他方の側の２つの側面のそれぞれに、対物レンズ１の光軸方向に沿って、対物レンズ１に近い方から順に、第一の支持部材固定部９ａ、第二の支持部材固定部９ｂ、第三の支持部材固定部９ｃを有する。
【００２０】
フォーカシングコイルは第一のフォーカシングコイル３と第二のフォーカシングコイル４とから成る。第一のフォーカシングコイル３は、レンズホルダ２の側面全周に巻き付けられる第一のフォーカシングコイルの上側部３ａと、レンズホルダ２の一方の側の突出部８ａに巻き付けられる第一のフォーカシングコイルの下側部３ｂとで構成される。第二のフォーカシングコイル４は、レンズホルダ２の側面全周に巻き付けられる第二のフォーカシングコイルの上側部４ａと、レンズホルダ２の他方の側の突出部８ｂに巻き付けられる第二のフォーカシングコイルの下側部４ｂとで構成される。
【００２１】
トラッキングコイル５は、レンズホルダ２に設けられた巻き枠１０に巻き付けられる。この巻き枠１０は、第一のフォーカシングコイルの上側部３ａおよび第二のフォーカシングコイルの上側部４ａよりも上側と、第一のフォーカシングコイルの下側部３ｂおよび第二のフォーカシングコイルの下側部４ｂよりも下側にそれぞれ設けられる。
【００２２】
レンズホルダ２は支持部材６により固定部７に対して変位可能に支持される。支持部材６の一端側は、レンズホルダ２に設けられた第一の支持部材固定部９ａと第二の支持部材固定部９ｂと第三の支持部材固定部９ｃに固定され、支持部材６の他端側は固定部７に固定されている。第一のフォーカシングコイル３と、第二のフォーカシングコイル４、およびトラッキングコイル５は、支持部材６の一端と半田等により電気的に接続される。
【００２３】
フォーカシング方向およびトラッキング方向と平行なレンズホルダ２の２つの側面に対向して、それぞれ２個のマグネット１１が配置される。このマグネット１１は磁性体であるヨーク１２に取り付けられる。
【００２４】
図２（ａ）〜（ｄ）は、レンズホルダ２に第一のフォーカシングコイル３と、第二のフォーカシングコイル４、およびトラッキングコイル５を巻き付けていく過程を示す図である。
【００２５】
図２（ａ）は、各コイルを巻いていない状態のレンズホルダ２が示されている。  
図２（ｂ）は、レンズホルダ２の側面全周に第一のフォーカシングコイルの上側部３ａが巻きつけられ、レンズホルダ２の一方の側の突出部８ａに第一のフォーカシングコイルの下側部３ｂが巻き付けられた状態を示したものである。
【００２６】
図２（ｃ）は、第一のフォーカシングコイルの上側部３ａに重ねて第二のフォーカシングコイルの上側部４ａが巻きつけられ、レンズホルダ２の他方の側の突出部８ｂに第二のフォーカシングコイルの下側部４ｂが巻き付けられた状態を示す。つまり、図２（ｂ）の第一のフォーカシングコイルの上側部３ａの外周を取り囲むように第二のフォーカシングコイルの上側部４ａが巻きつけられているため太巻き状態となっている。
【００２７】
第一のフォーカシングコイルの上側部３ａと第二のフォーカシングコイルの上側部４ａは、第一の支持部材固定部９ａと第二の支持部材固定部９ｂとの間に巻き付けられる。第一のフォーカシングコイルの下側部３ｂと第二のフォーカシングコイルの下側部４ｂは、第二の支持部材固定部９ｂと第三の支持部材固定部９ｃとの間に巻き付けられる。
【００２８】
図２（ｄ）は、トラッキングコイル５がレンズホルダ２に巻き付けられた状態を示す。
【００２９】
図２（ａ）〜（ｄ）に示したように、左右の突出部８ａ、８ｂの間には空間部２ａが設けられている。この空間部２ａはフォーカシングコイルの下側部３ｂとフォーカシングコイルの下側部４ｂを機械的に巻くために設けものである。つまり、フォーカシングコイルを供給するコイル用ノズル（図示せず）を突出部８ａ、８ｂの周囲で回転させるにはこの空間部２ａを設けておく必要がある。ただし、第一のフォーカシングコイルの上側部３ａおよび第二のフォーカシングコイルの上側部４ａはレンズホルダの側壁外周に直接巻くので空間部２ａは必要ない。
【００３０】
さて、従来のレンズホルダに取り付けられていたフォーカンシングコイルとチルトコイルと本実施例の違いについて図３を使って説明する。  
図３は従来のフォーカシング（チルト）コイルと本実施例のフォーカシング（チルト）コイルを比較した表である。
【００３１】
図３において、従来のフォーカシング（チルト）コイルはあらかじめフォーカシングコイルとチルトコイルとを個別に形成し、その後、手作業でレンズホルダに取り付けていた。そしてそれらのコイルの配線も独立に配線され、独立で制御されていた。
【００３２】
一方、本実施例ではフォーカシングコイル３ａには接続線３ｃを介してフォーカシングコイル３ｂが接続されている。またフォーカシングコイル４ａにも接続線４ｃを介してフォーカシングコイル４ｂが接続されている。これらのコイルは両方向矢印で示すように重ねられ、白抜きの矢印の先に示すような合体された形状となる。
【００３３】
そして、フォーカス信号は、第一のフォーカシングコイル３ａ、３ｂと第二のフォーカシングコイル４ａ、４ｂに同じ値が入力される。これによりマグネット１１との電磁作用によりフォーカシング方向の駆動力が発生する。また、チルト信号は、第一のフォーカシングコイル３ａ、３ｂあるいは第二のフォーカシングコイル４ａ、４ｂのどちらか一方に、フォーカス信号に加算して入力される。これにより、第一のフォーカシングコイル３ａ、３ｂと第二のフォーカシングコイル４ａ、４ｂとで発生する駆動力に差が生じる。このとき、第一のフォーカシングコイル３ｂと第二のフォーカシングコイル４ｂとで発生する駆動力の差によってチルト方向の回転力を与えることができる。
【００３４】
このように、本実施例ではフォーカンシングコイルのフォーカス動作に対してフォーカシングコイル３ｂ、４ｂもフォーカス動作に寄与（供用）できるためフォーカス動作の駆動力を大きくすることができる。その結果、省電力へと繋がるものである。
【００３５】
図４は、レンズホルダ２に第一のフォーカシングコイル３と、第二のフォーカシングコイル４、およびトラッキングコイル５が巻き付けられた状態を示す斜視図である。
【００３６】
図５は光ピックアップ１１０を示す図である。  
図５において、光ピックアップ１１０に備えられたレーザ発光素子１１１から発せられたレーザ光は、対物レンズ１により、図示していない光ディスクに集光して反射する。光ディスクで反射したレーザ光は、対物レンズ１を通過し、光ピックアップ１１０に備えられた光検出器１１２に入射する。光検出器１１２で得られた信号からサーボ信号が検出され、そのサーボ信号に基づいて図１に示した対物レンズ駆動手段５０の第一のフォーカシングコイル３と、第二のフォーカシングコイル４、およびトラッキングコイル５に駆動電流が入力され、対物レンズ１の位置決め制御が行われる。また、光検出器１１２で得られた信号から再生信号が検出され、光ディスクの情報が再生される。
【００３７】
このように、本実施例によれば、レンズホルダ２を１個の部材で構成することができる。その１個のレンズホルダ２に全てのコイルを直接巻き付けることができるので、部品点数の削減と組立作業性の向上を図ることができる。
【００３８】
具体的には、第一のフォーカシングコイルの上側部３ａと第二のフォーカシングコイルの上側部４ａを、第一の支持部材固定部９ａと第二の支持部材固定部９ｂの間に巻き付け、第一のフォーカシングコイルの下側部３ｂと第二のフォーカシングコイルの下側部４ｂを、第二の支持部材固定部９ｂと第三の支持部材固定部９ｃの間に巻き付けることで、３つの支持部材固定部をレンズホルダ２に一体に形成することができる。したがって、支持部材固定部を別部材として備える必要が無い。
【００３９】
トラッキングコイル５を巻き付けるレンズホルダ２の巻き枠１０を、第一のフォーカシングコイルの上側部３ａおよび第二のフォーカシングコイルの上側部４ａよりも上側と、第一のフォーカシングコイルの下側部３ｂおよび第二のフォーカシングコイルの下側部４ｂよりも下側に設けることで、巻き枠１０と干渉することなく第一のフォーカシングコイル３および第二のフォーカシングコイル４をレンズホルダ２に直接巻き付けることができる。
【００４０】
また、トラッキングコイル５は、レンズホルダ２に設けた巻き枠１０に直接巻き付けることができる。
【００４１】
さらに、レンズホルダ２の一方の側と他方の側に突出部８ａ、８ｂを設けることで、チルト駆動力の発生に寄与する第一のフォーカシングコイルの下側部３ｂと第二のフォーカシングコイルの下側部４ｂを、レンズホルダ２に直接巻き付けることができる。
【００４２】
以上のように、１個の部材で構成したレンズホルダ２に全てのコイルを直接巻き付けることができる。つまり、従来フォーカシングコイルとチルトコイルはあらかじめ四角形状に巻かれ、さらに手作業でレンズホルダに取り付けられていた。そのため取り付け作業に時間を要するばかりでなく、人的コストアップに繋がっていた。しかしながら本実施例では両コイルをレンズホルダに直接巻き付けるので、大幅な製造コストの低減を図ることができる。
【００４３】
次に、本実施例の他の効果である、フォーカシングコイルで発生する駆動力を増大できる点について以下に説明する。  
フォーカシングコイルをレンズホルダの側面全周に取り付けた従来例では、フォーカシングコイルをレンズホルダに直接巻き付ける場合には、フォーカシングコイルは、２つの支持部材固定部の間に巻き付けられた部分に限られる。一方、本実施例では、レンズホルダ２の側面全周に巻き付けられた第一のフォーカシングコイルの上側部３ａおよび第二のフォーカシングコイルの上側部４ａに加えて、レンズホルダ２の突出部８ａ、８ｂに巻き付けられた第一のフォーカシングコイルの下側部３ｂおよび第二のフォーカシングコイルの下側部４ｂを備えることで、フォーカシングコイルをレンズホルダ２に直接巻き付ける構造でありながら、フォーカシングコイルの巻数を増やすことができる。したがって、フォーカシングコイルで発生する駆動力を増大することができる。
【００４４】
さらに、本実施例によれば、光ピックアップを薄型にすることができる。具体的には、レンズホルダ２は、レンズホルダ２の一方の側と他方の側に設けた突出部８ａ、８ｂの間に空間部２ａを有する。この空間部２ａに、レーザ光を通すことと対物レンズ１へレーザ光を反射する反射ミラーを配置することができる。したがって、薄型の光ピックアップを提供することができる。
【実施例２】
【００４５】
次に、本発明の他の実施例を図６を用いて説明する。  
図６（ａ）は、レンズホルダ２と、このレンズホルダ２に巻き付けられるフォーカシングコイル１３を示す図である。
【００４６】
図６（ａ）において、フォーカシングコイル１３は、レンズホルダ２の側面全周に巻き付けられるフォーカシングコイルの上側部１３ａと、レンズホルダ２の一方の側の突出部８ａに巻き付けられるフォーカシングコイルの下側部１３ｂと、レンズホルダ２の他方の側の突出部８ｂに巻き付けられるフォーカシングコイルの下側部１３ｃとで構成される。
【００４７】
フォーカシングコイルの上側部１３ａは、第一の支持部材固定部９ａと第二の支持部材固定部９ｂの間に巻き付けられる。フォーカシングコイルの下側部１３ｂ、１３ｃは、第二の支持部材固定部９ｂと第三の支持部材固定部９ｃの間に巻き付けられる。
【００４８】
図６（ｂ）は、レンズホルダ２にフォーカシングコイル１３が巻き付けられた状態を示す図である。その他の構成は、実施例１と同じである。  
本実施例では、フォーカシングコイル１３ａ、１３ｂ、１３ｃは一つの系統として接続されるので、チルト駆動力は発生しない。したがって本実施例は、チルト動作を必要としない、例えば再生専用機種のフォーカシングコイルとして適用される。
【００４９】
このように構成された本実施例によれば、実施例１と同様、１個の部材で構成したレンズホルダ２に全てのコイルを直接巻き付けること、フォーカシングコイルで発生する駆動力を増大すること、および光ピックアップを薄型にすることができる。
【００５０】
さらに、本実施例は、実施例１よりもフォーカシングコイルの個数を少なくできるので、コストを低減できる効果がある。
【００５１】
なお、実施例１でも説明したが突出部８ａ、８ｂの間には空間部２ａが設けられているためフォーカシングコイルの下側部１３ｂ、１３ｃを供給するコイル用ノズル（図示せず）を回転させることができる。
【実施例３】
【００５２】
次に、本発明のさらに他の実施例を図７に示す。  
図７（ａ）は、レンズホルダ２２と、レンズホルダ２２に巻き付けられるフォーカシングコイルを示す図である。
【００５３】
図７（ａ）において、レンズホルダ２２は、その下部に光ディスクの半径方向であるトラッキング方向の一方の側と他方の側に突出部２８ａ、２８ｂを有する。また、レンズホルダ２２は、トラッキング方向の一方の側と他方の側の２つの側面のそれぞれに、対物レンズ１の光軸方向に沿って、対物レンズ１に近い方から順に、第一の支持部材固定部２９ａ、第二の支持部材固定部２９ｂ、第三の支持部材固定部２９ｃを有する。
【００５４】
フォーカシングコイルは第一のフォーカシングコイル２３と第二のフォーカシングコイル２４から成る。第一のフォーカシングコイル２３は、レンズホルダ２２の一方の側の突出部２８ａにおいて対物レンズ１に近い側に巻き付けられる第一のフォーカシングコイルの上側部２３ａと、レンズホルダ２２の一方の側の突出部２８ａにおいて対物レンズ１から遠い側に巻き付けられる第一のフォーカシングコイルの下側部２３ｂとで構成される。
【００５５】
第二のフォーカシングコイル２４は、レンズホルダ２２の他方の側の突出部２８ｂにおいて対物レンズ１に近い側に巻き付けられる第二のフォーカシングコイルの上側部２４ａと、レンズホルダ２２の他方の側の突出部２８ｂにおいて対物レンズ１から遠い側に巻き付けられる第二のフォーカシングコイルの下側部２４ｂとで構成される。
【００５６】
第一のフォーカシングコイルの上側部２３ａと第二のフォーカシングコイルの上側部２４ａは、第一の支持部材固定部２９ａと第二の支持部材固定部２９ｂの間に巻き付けられる。第一のフォーカシングコイルの下側部２３ｂと第二のフォーカシングコイルの下側部２４ｂは、第二の支持部材固定部２９ｂと第三の支持部材固定部２９ｃの間に巻き付けられる。
【００５７】
図７（ｂ）は、レンズホルダ２２に第一のフォーカシングコイル２３と第二のフォーカシングコイル２４が巻き付けられた状態を示す図である。その他の構成は、実施例１と同じである。
【００５８】
このように構成された本実施例によれば、実施例１と同様、１個の部材で構成したレンズホルダ２２に全てのコイルを直接巻き付けること、フォーカシングコイルで発生する駆動力を増大すること、および光ピックアップを薄型にすることができる。
【００５９】
さらに、本実施例は、第一のフォーカシングコイルの上側部２３ａと第二のフォーカシングコイルの上側部２４ａをレンズホルダ２２の一方の側の突出部２８ａと他方の側の突出部２８ｂに巻き付けるので、２つの突出部２８ａと２９ｂとの間の空間部２ａを実施例１よりも大きくすることができる。したがって、レーザ光を通す領域を対物レンズ１に近付けることができるので、光ピックアップを実施例１よりもさらに薄型にできる効果がある。
【００６０】
以上のごとく本発明によれば、フォーカシングコイルとトラッキングコイルを1個の部材で構成したレンズホルダに直接巻き付けることができるので、組立作業性に優れた光ピックアップを提供できる。また、フォーカシングコイルを、レンズホルダの側面全周に巻き付けられた上側部とレンズホルダの突出部に巻き付けられた下側部とで構成することで、フォーカシングコイルの巻数を増やすことができるので、フォーカシングコイルで発生する駆動力を増大することができる。
【符号の説明】
【００６１】
１…対物レンズ、２…レンズホルダ、３…第一のフォーカシングコイル、３ａ…第一のフォーカシングコイルの上側部、３ｂ…第一のフォーカシングコイルの下側部、４…第二のフォーカシングコイル、４ａ…第二のフォーカシングコイルの上側部、４ｂ…第二のフォーカシングコイルの下側部、５…トラッキングコイル、６…支持部材、７…固定部、８ａ…レンズホルダの一方の側の突出部、８ｂ…レンズホルダの他方の側の突出部、９ａ…第一の支持部材固定部、９ｂ…第二の支持部材固定部、９ｃ…第三の支持部材固定部、１０…巻き枠、１１…マグネット、１２…ヨーク、５０…対物レンズ駆動手段、１１０…光ピックアップ、１１１…レーザ発光素子、１１２…光検出器。
【図１】
0005797571.tif 000002
【図２】
0005797571.tif 000003
【図３】
0005797571.tif 000004
【図４】
0005797571.tif 000005
【図５】
0005797571.tif 000006
【図６】
0005797571.tif 000007
【図７】
0005797571.tif 000008